(57)【要約】  家具の複数部分を相互に対して変位させるための電動家具駆動装置（２）が基体（１６）を備え、その上に第１駆動ユニット（４）および第２駆動ユニット（６）が保持される。家具駆動装置（２）が装着されると、各駆動ユニット（４、６）は、変位させる家具の部分に作動的に接続される。本発明では、駆動ユニット（４、６）は各々別個のハウジング（８または１０）に収容され、それにより基体（１６）は筋交いの形で設けられ、駆動ユニット（４、６）のハウジング（８、１０）を相互に接続させる。本発明のモデルは、家具駆動装置の製造を著しく簡素化し、それによって製造をより経済的にする。
2005510273.tif 000002
【特許請求の範囲】
【請求項１】
第１および第２アクチュエータユニットを支持する基体を有し、家具アクチュエータの組立位置で、各アクチュエータユニットが調整しようとする家具の一部分に機能的に接続されて成る、家具の複数部分を相互に対して調整するための電動家具アクチュエータにおいて、
前記アクチュエータユニット（４、６）が各々別個のハウジング（それぞれ８、１０）に受容され、
前記基体（１６）が支柱状に形成され、前記アクチュエータユニット（４、６）のハウジング（８、１０）を相互に接続させる、ことを特徴とする電動家具アクチュエータ。
【請求項２】
家具の複数部分を相互に対して調整するための電動家具アクチュエータであって、
支柱形状の基体（１６）を有し、その一端にアクチュエータユニット（４）のハウジング（８）が支持され、該ユニットが前記家具アクチュエータ（２）の組立位置で、調整しようとする家具部分に機能的に接続され、前記基体（１６）の前記ハウジングに対して遠方の端が、前記家具アクチュエータ（２）の組立位置で、前記家具の一部分に支持されて成る、電動家具アクチュエータ。
【請求項３】
単数または複数の前記アクチュエータユニット（４、６）が着脱自在に、かつ錠止手段を介して前記基体（１６）に錠止されるように配設されることを特徴とする、請求項１または２に記載の家具アクチュエータ。
【請求項４】
前記アクチュエータユニット（４、６）が相互に対して調整可能であり、錠止手段によってそれらのそれぞれの調整位置に錠止することができることを特徴とする、請求項１に記載の家具アクチュエータ。
【請求項５】
前記錠止手段が掛止手段であることを特徴とする、請求項２または３に記載の家具アクチュエータ。
【請求項６】
前記錠止手段が各アクチュエータユニット（４、６）のハウジング（８、１０）に配設されることを特徴とする、請求項２に記載の家具アクチュエータ。
【請求項７】
前記基体（１６）が本質的に直線状に延在することを特徴とする、請求項１または２に記載の家具アクチュエータ。
【請求項８】
前記基体（１６）がアングルとして形成されるかまたはＵ字形であることを特徴とする、請求項１または２に記載の家具アクチュエータ。
【請求項９】
前記基体（１６）が本質的に剛性に形成されることを特徴とする、請求項１または２に記載の家具アクチュエータ。
【請求項１０】
前記基体（１６）が、相互に対して調整可能である少なくとも二つの部品を有し、それらをそれぞれの調整位置に錠止することができることを特徴とする、請求項１または２に記載の家具アクチュエータ。
【請求項１１】
前記基体（１６）が、相互に平行でありかつ間隔をおいて配置された少なくとも二つの支柱（１８、２６）を有することを特徴とする、請求項１または２に記載の家具アクチュエータ。
【請求項１２】
前記支柱（１８、２６）が平鉄片または類似物によって形成されることを特徴とする、請求項１１に記載の家具アクチュエータ。
【請求項１３】
各アクチュエータユニット（４、６）の前記ハウジング（８、１０）が少なくとも一つの凹所（それぞれ２２’、２４’および２２、２４）を有し、該凹所を介して前記基体（１６）が前記ハウジング（８、１０）内に延在することを特徴とする、請求項１または２に記載の家具アクチュエータ。
【請求項１４】
少なくとも一つのアクチュエータユニット（４、６）が、前記家具アクチュエータ（２）の組立位置で調整しようとする家具の部分（５２、５４）に機能的に接続される回動レバー（４０、４０’）を回動するための移動可能な作動要素を有することを特徴とする、請求項１または２に記載の家具アクチュエータ。
【請求項１５】
直線移動可能な前記作動要素が直線移動可能な作動要素に駆動可能に接続されるか、あるいは作動要素によって形成されることを特徴とする、請求項１４に記載の家具アクチュエータ。
【請求項１６】
前記直線移動可能な作動要素が、回転するように駆動させることができる調整スピンドル上に変形しないように固定されて支持されかつ軸方向に移動可能に支持されたスクリュナット（３６）であることを特徴とする、請求項１５に記載の家具アクチュエータ。
【請求項１７】
前記直線移動可能な作動要素が、軸方向に移動可能でありかつ変形しないように固定されて装着された調整スピンドルであり、該調整スピンドル上に、定置式であり回転するように駆動されるスピンドルナットが配設されることを特徴とする、請求項１５に記載の家具アクチュエータ。
【請求項１８】
少なくとも一つのアクチュエータユニットの前記ハウジング（８、１０）が凹所（４２、４２’）を有し、前記家具アクチュエータ（２）の組立位置で、前記家具の回動レバー（４０’、４０）を担持する軸が前記凹所内に係合されて、前記回動レバー（４０’、４０）が直線移動可能な作動要素と機能的に接続されることを特徴とする、請求項１または２および１４に記載の家具アクチュエータ。
【発明の詳細な説明】
【技術分野】
【０００１】
本発明は、家具の複数部分を相互に対し調整するための、請求項１の前提部分に示す型の電動家具アクチュエータに関する。
【０００２】
そのような家具アクチュエータは一般的に公知であり、例えばスラットグリッド（slatted grid）または類似物の複数部分を調整するために使用される。
【０００３】
下記特許文献１から、前記型の、二重アクチュエータとして形成された、家具の複数部分を相互に対して調整するための家具アクチュエータは公知であり、該アクチュエータは基体を有し、その上に第１アクチュエータユニットおよび第２アクチュエータユニットが装着され、各アクチュエータユニットは、家具アクチュエータの組立位置で調整しようとする家具の一部分に機能的に接続される。公知の家具アクチュエータでは、一方のアクチュエータユニットはスラットグリッドの頭支持部分を調整するのに役立つ一方、他方のアクチュエータユニットは、スラットグリッドの脚支持部分を調整するのに役立つ。公知の家具アクチュエータでは、基体は、射出成形品によって形成された樋形ハウジングによって形成される。アクチュエータユニットの要素、すなわち電気モータ、歯車、およびスピンドル駆動装置はそれぞれハウジング内に挿入され、ハウジングに形成された制止手段および保持ウェブによってそれらの固定位置に保持される。
【０００４】
公知の家具アクチュエータの弱点は、その製造に関してそれが比較的複雑であり、したがって費用が高くつくことである。
【０００５】
同様の家具アクチュエータは、下記特許文献２〜６からも公知である。
【特許文献１】ＥＰ０３７２０３２Ｂ１
【特許文献２】ＤＥ３８４２０７８Ｃ２
【特許文献３】ＥＰ０５８３６６０Ｂ１
【特許文献４】ＤＥ１００１７９７８Ａ１
【特許文献５】ＤＥ１００１７９７９Ａ１
【特許文献６】ＷＯ０１／７６４２２Ａ１
【発明の開示】
【０００６】
本発明は、公知の家具アクチュエータの短所を持たず、したがってその製造がより単純であり、その結果としてより安価になる、請求項１の前提部分に記載する型の家具アクチュエータを提供するという目的に基づく。
【０００７】
この目的は、請求項１に記載する教示によって達成される。
【０００８】
本発明に係る教示は、二重アクチュエータとして形成される家具アクチュエータの場合、アクチュエータユニットを共通ハウジングに受容するという考え方を打ち破る。全く対照的に、それは、比較的単純でありしたがって費用効果の大きい標準構成部品から二重アクチュエータを形成するという考え方に基づく。本発明では、アクチュエータユニットは各々別個のハウジングに受容され、基体は支柱形状に形成され、アクチュエータユニットのハウジングを相互に接続させる。
【０００９】
このようにして、本発明に係る家具アクチュエータは、もはやアクチュエータユニットを受容するためのハウジングを大容積の射出成形品として製造する必要が無いので、特に単純に、かつしたがって大きい費用効果で製造することができる。アクチュエータユニットのずっと小さい別個のハウジングは、ずっと単純に、かつしたがって大きい費用効果で製造することができる。さらに、支柱形状の基体は、特に大きい費用効果で製造することができる。例えば、それは平（棒）鉄または類似物によって形成することができる。
【００１０】
その結果、本発明に係る家具アクチュエータは、公知の家具アクチュエータに比較したとき、より単純に、かつしたがってより大きい費用効果で生産することができる。さらに、その構造は特に頑健である。
【００１１】
本発明に係る教示の特有の利点は、本発明がモジュールの原理に従って様々な家具アクチュエータを製造する選択肢をもたらすということに存する。
【００１２】
例えばアクチュエータユニットによって調整可能なスラットグリッドの回動軸の軸線間の異なる間隔に合わせるために、例えばアクチュエータユニット間に異なる距離を有する家具アクチュエータを製造する場合、本発明によると、各軸線間隔用の別個のハウジングを製造する必要は無い。例えば必要な距離に応じてメートル（metre）によって利用可能な平鉄を切断することによって、多かれ少なかれ、単に基体の長さを所望の軸心間隔に適応させるだけで足りる。このようにして、多数の異なる家具アクチュエータの製造が基本的に合理化され、したがって基本的に費用効果が高まるので、各アクチュエータを製造するためのコストが実質的に低減される。
【００１３】
これ以上に、アクチュエータユニットと同様に、基体に適した材料、例えばメートルウェア（metre ware）としての平（棒）鉄を利用可能に保管すれば足りるので、家具アクチュエータの製造者にとって在庫保管が実質的に簡素化される。
【００１４】
家具アクチュエータを二重またはツインアクチュエータとして構成すると、両方のアクチュエータユニットに各々同一構成要素を使用することができる。
【００１５】
本発明に係る家具アクチュエータは多くの異なる方法で適用することができ、家具の複数部分をそこに着座および／または横臥するために調整するのに特に適している。
【００１６】
各々の場合に、支柱形状の基体およびアクチュエータユニットは、本発明の本質的要素を形成する。
【００１７】
本発明のモジュール概念に従って構成された個々のアクチュエータは、請求項２によって示される。このアクチュエータは支柱形状の基体を有し、その一端にアクチュエータユニットのハウジングが担持され、アクチュエータユニットは家具アクチュエータの組立位置で調整しようとする家具の一部分と機能的に接続され、ハウジングに対する基体の遠端は、家具アクチュエータの組立位置で家具の一部分に担持される。本発明の教示に従って、単一アクチュエータまたは二重アクチュエータはこうして、同一構成部品を使用してそれぞれの要件に従って製造することができる。しかし、三つ以上のアクチュエータユニットを持つ家具アクチュエータを製造することも可能である。
【００１８】
基本的に、単数または複数のアクチュエータユニットは基体に取り付けることができる。例えば、アクチュエータユニットのハウジングを基体に溶接するか、あるいは接着することができる。しかし、本発明に係る教示の極めて有利な実施形態は、単数／複数のアクチュエータユニットが着脱自在に、かつ錠止手段によって基体に錠止されるような仕方で構成されるようにする。この実施形態では、本発明に係る家具アクチュエータの製造はさらに簡素化され、したがってさらにいっそう大きい費用効果で設計される。基体とアクチュエータユニットとの間の着脱自在の接続は、本発明に係る家具アクチュエータの構成部品の撤去および必要ならば再適用をさらに簡素化する。
【００１９】
基本的に、アクチュエータユニットは基体上に静止状態に配設することができる。しかし、本発明の教示の別の特に有利な実施形態では、アクチュエータユニットは相互に対して調整することができ、錠止手段によってそれらのそれぞれの調整位置に拘束することができる。本実施形態では、本発明に係る家具アクチュエータの製造の柔軟性および用途がさらに増大する。
【００２０】
便宜的に、単数または複数のアクチュエータユニットを基体に拘束するための錠止手段は、制止手段である。そのような制止手段は、特に単純にかつ大きい費用効果で実現することができる。
【００２１】
基本的に、錠止手段は各アクチュエータユニットのハウジングの外側に配設することができる。有利な実施形態では、錠止手段は各アクチュエータユニットのハウジング内に設けられる。この実施形態では、錠止手段は望ましくない作動を防止される。アクチュエータユニットのハウジングは各々着脱自在のカバーを持つことができ、それを取り外した後で、錠止手段を取り外すことができる。
【００２２】
それぞれの要件に応じて、基体は基本的に直線的に延在することができ、あるいは実施形態によって提供したように、アングル形またはＵ字形に形成することができる。例えば二重アクチュエータの場合、異なる長さの基体の直線的延在によって、それぞれの要件に応じたアクチュエータユニットの距離を選択することが可能である。基体をアングル形またはＵ字形に形成する場合、二重アクチュエータのアクチュエータユニットは相互に対してほとんど無作為の位置に組み立てることができる。
【００２３】
基本的に、基体は本質的に剛性であるように形成すれば充分である。このようにして、基体およびしたがって家具アクチュエータは、その構造に関して頑健であるので、家具アクチュエータの動作中、例えばスラットグリッドが荷重を受けて調整されるときに発生する応力は、基体のかなりの変形を導かない。
【００２４】
しかし、基体は、相互に対して相対的に、かつそれらのそれぞれの調整位置に錠止することのできる少なくとも二つの部分を含むこともできる。このようにして、本発明に係る家具アクチュエータの使用における柔軟性をさらに高めることができる。
【００２５】
基体の形状、サイズ、および材料は幅広い範囲内で選択することが可能である。本発明では、支柱形状の基体とは、先行技術に係る家具アクチュエータの場合に行なわなければならないようにハウジングとして形成する必要がなく、例えば二重アクチュエータのアクチュエータユニットのハウジングを相互に接続する基体を意味する。
【００２６】
大きい費用効果で製造することができ、かつ同時に頑健である実施形態は、相互に平行にかつ間隔をおいて配置された少なくとも二つの支柱または筋交いを持つ基体に備える。このようにして、家具アクチュエータの荷重を受けて生じる基体の変形が最大限回避される。
【００２７】
筋交いは無作為に適切な仕方で製造することができ、無作為に適切な材料のものとすることができる。筋交いは平鉄または類似物によって形成すると有利である。この実施形態は特に費用効果が大きく、かつ同時に頑健である。
【００２８】
基本的に、基体は各アクチュエータユニットのハウジングの外側に取り付けることができる。しかし、有利な実施形態は、各アクチュエータユニットのハウジングが少なくとも一つの凹所を持ち、そこを通して基体がハウジング内に延在することに備える。そのような実施形態では、基体はアクチュエータユニット内でハウジングに、またはアクチュエータユニットのハウジング内に保持されるので、家具アクチュエータの安定性がさらにいっそう改善される。
【００２９】
アクチュエータユニットが調整しようとする家具の一部分を調整する際に従う作動原理は、広い範囲内で選択することができる。家具アクチュエータがスラットフレームの部分を調整するために使用され、調整しようとする部分が回動軸に接続され、該回動軸に回動レバーが回転自在に固定されるように取り付けられている場合、少なくとも一つのアクチュエータユニットが、家具アクチュエータの組立位置で調整しようとする家具の一部分と機能的に接続される回動レバーを回動するための直線移動可能な作動要素を持つと好都合である。
【００３０】
上記の実施形態の場合、直線移動可能な作動要素が、直線移動可能な作動要素と作動的に接続されるか、あるいは作動要素によって形成されると、有利である。本実施形態では、作動要素をリニアアクチュエータによって作動させることができる。
【００３１】
上記の実施形態の有利なさらなる実施形態は、直線移動可能な作動要素を、回転するように駆動することのできる調整スピンドル上に回転自在に固定され、軸方向に移動可能なように保持されたスピンドルナットとすることに備える。そのようなスピンドル駆動装置は、単純かつしたがって費用効果の大きい標準的構成部品として利用可能である。
【００３２】
しかし、上記の実施形態を運動幾何学的に反転すると、直線移動可能な作動要素は、その軸方向に移動可能であって回転しないように固定して装着された調整スピンドルとすることもでき、該スピンドル上に、局所的に固定されたスピンドルナットを装着し、それを回転するように駆動させることができる。本発明に係る家具アクチュエータがスラットフレームの部分を調整するために使用される場合、少なくとも一つのアクチュエータユニットのハウジングが凹所を有し、それが家具アクチュエータの装着位置で、回動レバーを担持する家具の軸によって、回動レバーが直線移動可能な作動要素と機能的に接続されるように、係合されると好都合である。この実施形態では、回動レバーを担持する家具の軸が凹所に装着される。
【発明を実施するための最良の形態】
【００３３】
以下で、本発明に係る家具アクチュエータの実施形態を示した添付の図面を参照しながら、本発明をさらに詳しく説明する。
【００３４】
図面で同一または対応する構成部品には同一参照番号が付けられている。
【００３５】
図１は、二重またはツインアクチュエータとして形成され、二つのアクチュエータユニット４、６を有する、本発明に係る家具アクチュエータ２の第１実施形態を示す。本発明によると、アクチュエータユニット４、６はそれぞれ別個のハウジング８、１０に受容され、ハウジング８はカバー１２によって閉じられ、ハウジング１０はカバー１４によって閉じられる。家具アクチュエータ２はさらに、本発明によると、支柱形状に形成された基体１６を有し、該基体は相互に、図１によって以下で詳細に説明する仕方で、アクチュエータユニットのハウジング８、１０を相互に接続させる。本実施形態では、基体１６は、相互に平行であって各々平（棒）鉄によって形成される二つの筋交い（支柱）から構成され、そのうちの一つの筋交い１８だけが図１から認識することができる。
【００３６】
図２は、ハウジング８、１０のカバー１２、１４が取り外された状態の家具アクチュエータ２の斜視図を示す。以下で、アクチュエータユニット６の構造のみを詳細に説明する。アクチュエータユニット４は鏡像状に構成され、アクチュエータユニット４の構成部品には、アクチュエータユニット６の構成部品に対応する参照番号が付けられている。表現上の理由から、アクチュエータユニット４の一部の構成部品は省略されている。
【００３７】
図２から分かるように、ハウジング１０はその正面側２０に二つのスロット形凹所２２、２４を有し、支柱１８は凹所２２を介してハウジング１０内に延在し、支柱２６は凹所２４を介してハウジング１０内に延在する。支柱１８、２６は着脱自在にハウジング１０に接続され、ハウジングの内側で支柱１８、２６を錠止するために錠止手段が設けられ、該錠止手段は、この実施形態では図面に詳細に示されていない制止または掛止手段によって形成される。家具アクチュエータ２の安定性を改善し、家具アクチュエータの動作中に荷重下での歪みの発生を防止するために、支柱１８、２６は、前壁２０から延在する溝形凹所２８、３０内に装着される。
【００３８】
アクチュエータユニット６は、アクチュエータユニット６のハウジング１０に側方にフランジ装着された電動モータ３２を有し、それは現在詳細には説明しない歯車配列を介して、回転自在に駆動される調整スピンドル３４に回転自在に駆動されるように接続され、該調整スピンドル上にスピンドルナット３６が配設され、それは回転しないように固定され、調整スピンドルの軸方向に変位させることができる。スピンドルナット３６はアクチュエータユニット６の直線移動可能な作動要素を形成し、回転しないように固定して回動軸３８に接続された回動レバー40を回動させるのに役立つ。本実施形態では、回動レバー１９を含む回動軸３８は家具アクチュエータ２の構成部品ではなく、以下で図３によってさらに詳しく説明するように、家具アクチュエータ２によって調整することのできるスラットグリッドの構成部品である。回動軸３８を取り付けるために、ハウジング１０は基本的に半円形の凹所４２を有し、家具アクチュエータ２の組立位置で回動軸がその中に緩く挿入される。必要ならば、回動軸３２は錠止要素によって凹所４２内で固定することができる。
【００３９】
必要ならば、調整スピンドル３４、および詳細には示さないアクチュエータユニット６の歯車配列と共に、直線移動可能な作動要素を形成するスピンドルナット３６だけでなく、追加的に電動モータ３２もハウジング１０内に受容することができる。
【００４０】
図３は組立位置における家具アクチュエータ２を示し、この例の実施形態では、家具アクチュエータ２は、スラットグリッド４４の形状に着座および／または横臥するための家具の上張り用にモータ調整可能な支持装置を調整するのに役立つ。スラットグリッド４４は、フレーム４６に接続された中央支持部分４８を有し、該部分の端に上体支持部分５０が関節式に接続され、水平回動軸を中心に回動可能である。頭支持部分５２は、上体支持部分５０の中央支持部分４８とは反対側に関節式に接続され、水平回動軸を中心に回動可能である。
【００４１】
脚支持部分５４は、中央支持部分４８の上体支持部分とは反対側に関節式に接続され、該部分５４は水平軸を中心に回動可能であり、脚支持部分５４の中央支持部分４８とは反対側にふくらはぎ支持部分５６が接続され、水平回動軸を中心に回動可能である。支持部分４８ないし５６はそれらの上面に弾性スラットを有し、図３にはそのうちの一つのスラットだけが参照番号５８によって示されている。
【００４２】
頭支持部分５２はレバー６０によって回動軸３８に接続されるが、ふくらはぎ支持部分５６はレバー配列６２を介して回動軸３８’に接続される。図３から分かるように、家具アクチュエータ２は凹所４２、４２’と共に、支持側から、すなわち図３では上から、回動軸３８、３８’に装着されている。
【００４３】
頭支持部分５２および上体支持部分５０を調整するために、電動モータ３２は、スピンドルナット３６が図３で左側に移動しそれによって回動レバー４０を図３で反時計回りに回動させるように、調整スピンドル３４を駆動するので、回動軸３４は回転する。この場合、回動軸３８は、一端が回転しないように固定して回動軸３８に接続されかつ他端が頭支持部分５２に関節式に接続されたレバー６０を回動させる。このようにして、頭支持部分５２は上体支持部分５０と共に、支持部分５０、５２が本質的に水平位置である開始位置から、図３に示した調整位置まで調整される。頭支持部分５２および上体支持部分５０の開始位置への戻り配置は、支持部分５０、５２の重量荷重により、ただしアクチュエータをオンにした状態で行なわれる。
【００４４】
脚支持部分５４およびふくらはぎ支持部分５６のアクチュエータユニット４による調整は対応する方法で行なわれ、アクチュエータユニット４、６は相互に一緒に、または別々に制御するようにアドレス指定可能である。
【００４５】
本発明に係る家具アクチュエータ２は、特に単純に、かつしたがってその単純な構造のため、費用に関して効率的な仕方で、製造することができる。家具アクチュエータ２の最終組立は、支柱１８、２６がアクチュエータユニット６のハウジング１０の凹所２２、２４またはアクチュエータユニット４０のハウジング８の凹所２２’、２４’に挿入されること、およびハウジング１０、８それぞれの錠止手段が錠止されることから、特に簡単に、かつ時間節約的に行なわれる。その後で、カバー１２、１４がハウジング８、１０にそれぞれ装着される。
【００４６】
本発明に係る家具アクチュエータをスラットグリッド４４または着座および／または横臥するための別の家具に取り付けるには、凹所４２、４２’を持つ家具アクチュエータ２を、スラットグリッド４４のフレーム４６に装着された回動軸３８、３８’に単に装着するだけで足りる。その後、必要ならば、回動軸３８、３８’を凹所４２、４２’内で固定する要素であって、図面には示さない錠止要素を装着することができる。
【００４７】
対応する簡単なやり方で、本発明に係る家具アクチュエータ２を、必要ならば、取り外すことができる。
【００４８】
本発明に係る家具アクチュエータの実施形態の第２例を図４に示す。この例は、基体の支柱１８、２６がより小さい長さを持つので、図４に係る実施形態例の凹所４２、４２’の距離が、図１に係る実施形態の例に対して縮小されているという点で、図３に係る実施形態の例とは異なる。このようにして、回動軸３８、３８’が図３のスラットグリッド４４の場合より小さい距離を持つラスグリッド（lath grid）を調整するために使用することのできる家具アクチュエータ２は、単により小さい長さを有する支柱１８、２６を使用するだけで、アクチュエータユニット４、６と同じ使用法によって実現することができる。このようにして、スラットグリッドの回動軸の異なる距離に適応するために、より小さい長さを持つ支柱１８、２６を単に設けるだけで足りるので、様々な家具アクチュエータの系列製造が基本的に簡素化される。これらの支柱１８、２６は例えば、それぞれ必要な長さに切断されるメートルウェアから成ることができる。
【００４９】
図５は、図４に示した実施形態の例に比較して、凹所４２、４２’の距離がさらに縮小されて、アクチュエータユニット４、６のハウジング８、１０が相互に前面に係合されるようにした、本発明に係る家具アクチュエータ２の実施形態の第３例を示す。
【００５０】
アクチュエータユニット４、６が電動モータ３２、３２’を有するそれらの端に相互に隣接して位置する点で、図５に係る実施形態例とは異なる、本発明に係る家具アクチュエータの実施形態の第４例を図６示す。
【００５１】
電動モータ３２を有するアクチュエータユニット４の端が電動モータ３２とは反対側のアクチュエータユニット６の端に隣接して位置する点で、図４に係る実施形態の例とは異なる、本発明に係る家具アクチュエータの実施形態の第５例を図７に示す。
【００５２】
アクチュエータユニット４のハウジング８の凹所４２’が下方を向き、アクチュエータユニット６のハウジング１０の凹所４２が上方を向いている点で、図４に係る例示的実施形態とは異なる、本発明に係る家具アクチュエータの実施形態の第６例を図８に示す。
【００５３】
図１ないし８の比較から分かるように、これらの例示的実施形態に係る家具アクチュエータ２は各々、同一形状に形作ることができる二つのアクチュエータユニット４、６および基体１６から成り、個々の家具アクチュエータ２は単に基体１６の支柱１８、２６の長さが異なるだけである。したがって、本発明の教示は、同一構成部品を単純かつ費用効果の大きいやり方を使用することによって、モジュール方式で多数の様々な家具アクチュエータ２を実現することを可能にする。
【００５４】
基体１６の支柱１８、２６が直線状ではなく、Ｕ字形に形作られ、アクチュエータユニットのハウジング８、１０が支柱１８のアームと同様に図示しない支柱２６のアームにも装着され、該アームが図９に示されていないが相互に平行であるという点で、図１に係る実施形態の例とは異なる、本発明に係る家具アクチュエータの第７の例示的実施形態を図９に示す。
【００５５】
電動モータ３２’、３２が相互に真上に位置するように、アクチュエータユニット８、６が支柱１８と同様に図示しない支柱２６にも装着される点で、図９の例示的実施形態とは異なる、本発明に係る家具アクチュエータの第８の例示的実施形態を図１０に示す。
【００５６】
単一アクチュエータとして形成され、単一アクチュエータユニット４を持ち、そのハウジングが基体１６の一端６４に接続された、本発明に係る家具アクチュエータの実施形態の第９例を図１１に示す。基体１６のアクチュエータユニット４とは反対側の端は、この実施形態では二股６６として形成され、該二股によって家具アクチュエータ２は組立位置で家具の一部分に支持される。この例示的実施形態では、基体１６は支柱１８と同様に、図面では見えないさらなる支柱２６から成る。
【００５７】
図１ないし１１の比較から明らかになるように、図１１に係る例示的実施形態は、一つのアクチュエータユニット４だけが設けられている以外は、本質的に図１の例示的実施形態と同一構成要素によって構成される。このように、本発明に係る教示は、二重またはツインアクチュエータだけでなく、同一構成部品を持つ個別アクチュエータユニットをも実現することを可能にする。
【００５８】
電動モータ３２’が家具ジェネレータ２の二股６６とは反対側の自由端に配設されるように、アクチュエータユニット４の向きが選択されている点で、図１１に係る実施形態とは異なる、本発明に係る家具アクチュエータの第１０の例示的実施形態を図１２に示す。
【図面の簡単な説明】
【００５９】
【図１】本発明に係る家具アクチュエータの第１実施形態の略側面図である。
【図２】図１に係る家具アクチュエータの略斜視図である。
【図３】組立位置における図１に係る家具アクチュエータの略側面図である。
【図４】本発明に係る家具アクチュエータの第２実施形態の略側面図である。
【図５】本発明に係る家具アクチュエータの第３実施形態の略側面図である。
【図６】本発明に係る家具アクチュエータの第４実施形態の略側面図である。
【図７】本発明に係る家具アクチュエータの第５実施形態の略側面図である。
【図８】本発明に係る家具アクチュエータの第６実施形態の略側面図である。
【図９】本発明に係る家具アクチュエータの第７実施形態の略側面図である。
【図１０】本発明に係る家具アクチュエータの第８実施形態の略側面図である。
【図１１】本発明に係る家具アクチュエータの第９実施形態の略側面図である。
【図１２】本発明に係る家具アクチュエータの第１０実施形態の略側面図である。
【図１】
2005510273.tif 000003
【図２】
2005510273.tif 000004
【図３】
2005510273.tif 000005
【図４】
2005510273.tif 000006
【図５】
2005510273.tif 000007
【図６】
2005510273.tif 000008
【図７】
2005510273.tif 000009
【図８】
2005510273.tif 000010
【図９】
2005510273.tif 000011
【図１０】
2005510273.tif 000012
【図１１】
2005510273.tif 000013
【図１２】
2005510273.tif 000014
【国際調査報告】
2005510273.tif 000015
2005510273.tif 000016
2005510273.tif 000017
2005510273.tif 000018